(57)【要約】【課題】集合住宅の駐車場において、共用電灯の使用電流または使用容量が上限値を越えることを抑制しつつ、充電用端末による車両の充電を行うことが可能な集合住宅用の車両充電システム及び充電制御装置を提供する。【解決手段】共用電灯源から充電用端末への電力供給を制御する継電器と、利用者による充電用端末の充電開始要求を受け付ける受付部と、共用電灯の使用電流または使用容量を検出する検出部と、検出部で検出された使用電流または使用容量に、充電用端末での充電に必要な電流または容量を加えた合算電流または合算容量が、共用電灯の上限値以下である充電余力有りか否かを判断する余力判断部と、充電開始要求に基づく充電開始要求時刻において、充電余力有りの場合には充電開始要求時刻に充電用端末による充電を開始し、充電余力無しの場合には充電余力有りになるまで充電用端末による充電を待機するよう継電器を制御する制御部と、を備える。【選択図】図５
2010187453.tif 000002
【特許請求の範囲】
【請求項１】
集合住宅の駐車場に駐車された車両を、共用電灯を使用して充電するための集合住宅用の車両充電システムであって、
充電用端末と、
前記充電用端末と電力供給線によって接続され、共用電灯源から前記充電用端末への電力供給を制御する継電器と、
利用者による前記充電用端末の充電開始要求を受け付ける受付部と、
前記共用電灯の使用電流または使用容量を検出する検出部と、
前記検出部で検出された前記使用電流または使用容量に、前記充電用端末での充電に必要な電流または容量を加えた合算電流または合算容量が、前記共用電灯の上限値以下である充電余力有りか否かを判断する余力判断部と、
前記充電開始要求に基づく充電開始要求時刻において、前記充電余力有りの場合には前記充電開始要求時刻に前記充電用端末による充電を開始し、充電余力無しの場合には前記充電余力有りになるまで前記充電用端末による充電を待機するよう前記継電器を制御する制御部と、を備える集合住宅用の車両充電システム。
【請求項２】
請求項１に記載の集合住宅用の車両充電システムであって、
前記充電用端末を複数有し、
前記受付部は利用者による充電完了要求時刻を前記充電用端末ごとに受付可能とされ、
前記制御部は、前記受付部で一の充電用端末に対する充電開始要求が受け付けられ、且つ、前記充電余力無しの場合において、当該一の充電用端末よりも前記充電完了要求時刻が遅い充電中の他の充電用端末が有れば、当該他の充電用端末による充電を待機させて前記一の充電用端末による充電を開始する、集合住宅用の車両充電システム。
【請求項３】
請求項２に記載の集合住宅用の車両充電システムであって、
前記制御部は、前記一の充電用端末と前記他の充電用端末とで前記充電完了要求時刻が一致する場合において、前記受付部での前記充電開始要求の受付順位が、前記一の充電用端末よりも前記他の充電用端末の方が遅ければ前記他の充電用端末を待機させて前記一の充電用端末による充電を開始する、集合住宅用の車両充電システム。
【請求項４】
請求項１から請求項３のいずれか一項に記載の集合住宅用の充電システムにおいて、
前記受付部は、電気料金の割引時間帯内の時刻を前記充電開始要求時刻として指定する充電開始要求を受付可能とされている、集合住宅用の車両充電システム。
【請求項５】
請求項１から請求項４のいずれか一項に記載の集合住宅用の充電システムにおいて、
前記検出部で検出された使用電流または使用容量の変化に基づき充電余力有りから充電余力無しに移行する危険度が所定レベルに達したか否かを判定する危険度判定部を備え、
前記制御部は、前記危険度判定部で前記危険度が所定レベルに達したと判定された場合に前記充電用端末による充電を待機するよう前記継電器を制御する、集合住宅用の車両充電システム。
【請求項６】
請求項１から請求項５のいずれか一項に記載の集合住宅用の充電システムにおいて、
前記受付部は利用者による充電完了要求時刻を受付可能とされ、
前記充電用端末による充電が、前記充電完了要求時刻までに完了しない充電遅延になるか否かを判断する遅延判断部と、
前記遅延判断部にて前記充電遅延になると判断された場合に当該充電遅延を利用者に通知する通知部と、を備える、集合住宅用の車両充電システム。
【請求項７】
充電用端末と電力供給線によって接続され、共用電灯源から前記充電用端末への電力供給を制御する継電器と、
利用者による前記充電用端末の充電開始要求を受け付ける受付部と、
共用電灯の使用電流または使用容量に、前記充電用端末での充電に必要な電流または容量を加えた合算電流または合算容量が、前記共用電灯の上限値以下である充電余力有りか否かを判断する余力判断部と、
前記充電開始要求に基づく充電開始要求時刻において、前記充電余力有りの場合には前記充電開始要求時刻に前記充電用端末による充電を開始し、充電余力無しの場合には前記充電余力有りになるまで前記充電用端末による充電を待機するよう前記継電器を制御する制御部と、を備える集合住宅用の充電制御装置。
【発明の詳細な説明】
【技術分野】
【０００１】
本発明は、集合住宅の駐車場に駐車された車両のバッテリを充電するための集合住宅用の車両充電システム及び充電制御装置に関する。
【背景技術】
【０００２】
電気自動車やプラグインハイブリッド車の普及のためには、充電設備を備えた駐車場の整備が不可欠といわれている。そして、従来から、店舗の駐車場に設置され、駐車中に電気自動車を充電できるとともに、店舗のＰＯＳ装置で充電料を併せて支払う電気自動車用駐車場システムなどが提案されている（下記特許文献１〜３）。
【０００３】
ところで、例えばマンションなどの集合住宅では、エントランスのライトなどの共用負荷に使用するために共同電灯を受電する電灯契約を電力会社と結ぶことが一般的である。この電灯契約では、電灯契約で定めた契約電流（アンペア）または契約容量（キロボルトアンペア）を超えないように共用電灯の使用電流（アンペア）または使用容量（キロボルトアンペア）を制限する必要がある。
【０００４】
このような集合住宅の駐車場に上記充電設備を設置する場合には、上記共用電灯の一部を使用することになるため、例えば一度に大量の車両の充電を行うと共用電灯の使用電流または使用容量が上記契約電流または契約容量などの上限値を超えてしまうおそれがある。しかしながら、従来は、このような問題の解決手段について十分に検討されていない。
【先行技術文献】
【特許文献】
【０００５】
【特許文献１】特開平１１−８６０５８号公報
【特許文献２】特開２００１−３５９２０３号公報
【特許文献３】特開２００８−２６３７１２号公報
【発明の概要】
【発明が解決しようとする課題】
【０００６】
本発明は上記のような事情に基づいて完成されたものであって、その目的は、集合住宅の駐車場において、共用電灯の使用電流または使用容量が上限値を越えることを抑制しつつ、充電用端末による車両の充電を行うことが可能な集合住宅用の車両充電システム及び充電制御装置を提供するところにある。
【課題を解決するための手段】
【０００７】
第１の発明は、集合住宅の駐車場に駐車された車両を、共用電灯を使用して充電するための集合住宅用の車両充電システムであって、充電用端末と、前記充電用端末と電力供給線によって接続され、共用電灯源から前記充電用端末への電力供給を制御する継電器と、利用者による前記充電用端末の充電開始要求を受け付ける受付部と、前記共用電灯の使用電流または使用容量を検出する検出部と、前記検出部で検出された前記使用電流または使用容量に、前記充電用端末での充電に必要な電流または容量を加えた合算電流または合算容量が、前記共用電灯の上限値以下である充電余力有りか否かを判断する余力判断部と、前記充電開始要求に基づく充電開始要求時刻において、前記充電余力有りの場合には前記充電開始要求時刻に前記充電用端末による充電を開始し、充電余力無しの場合には前記充電余力有りになるまで前記充電用端末による充電を待機するよう前記継電器を制御する制御部と、を備える。
この発明によれば、充電余力の有無に応じて充電用端末の充電開始時刻を変更することで、集合住宅の駐車場において、共用電灯の使用電流または使用容量が上限値を越えることを抑制しつつ、充電用端末による車両の充電を行うことができる。
【０００８】
第２の発明は、第１の発明の車両充電システムであって、前記充電用端末を複数有し、前記受付部は利用者による充電完了要求時刻を前記充電用端末ごとに受付可能とされ、前記制御部は、前記受付部で一の充電用端末に対する充電開始要求が受け付けられ、且つ、前記充電余力無しの場合において、当該一の充電用端末よりも前記充電完了要求時刻が遅い充電中の他の充電用端末が有れば、当該他の充電用端末による充電を待機させて当該一の充電用端末による充電を開始する。
この発明によれば、充電余力が無い場合に、充電完了要求時刻が遅い方の充電用端末による充電を待機させることにより、共用電灯の使用電流または使用容量が上限値を越えることを抑制しつつ、複数の充電用端末による充電を円滑に行うことができる。
【０００９】
第３の発明は、第２の発明の車両充電システムであって、前記制御部は、前記一の充電用端末と前記他の充電用端末とで前記充電完了要求時刻が一致する場合において、前記受付部での前記充電開始要求の受付順位が、前記一の充電用端末よりも前記他の充電用端末の方が遅ければ前記他の充電用端末を待機させて前記一の充電用端末による充電を開始する。
この発明によれば、一の充電用端末と他の充電用端末とで充電完了要求時刻が一致する場合でも、受付部での充電開始要求の受付順位が遅い方の充電用端末による充電を待機させることにより、共用電灯の使用電流または使用容量が上限値を越えることを抑制しつつ、複数の充電用端末による充電を円滑に行うことができる。
【００１０】
第４の発明は、第１〜第３のいずれかの発明の車両充電システムであって、前記受付部は、電気料金の割引時間帯内の時刻を前記充電開始要求時刻として指定する充電開始要求を受付可能とされている。
この発明によれば、割引時間帯を利用して車両の充電を行うことができる。
【００１１】
第５の発明は、第１〜第４のいずれかの発明の車両充電システムであって、前記検出部で検出された使用電流または使用容量の変化に基づき充電余力有りから充電余力無しに移行する危険度が所定レベルに達したか否かを判定する危険度判定部を備え、前記制御部は、前記危険度判定部で前記危険度が所定レベルに達したと判定された場合に前記充電用端末による充電を待機するよう前記継電器を制御する。
この発明によれば、例えば充電用端末以外の負荷に対する使用電流または使用容量の増加により充電余力有りから充電余力無しに移行する場合でも、共用電灯の使用電流または使用容量が上限値を越えることを抑制することができる。
【００１２】
第６の発明は、第１〜第５のいずれかの発明の車両充電システムであって、前記受付部は利用者による充電完了要求時刻を受付可能とされ、前記充電用端末による充電が、前記充電完了要求時刻までに完了しない充電遅延になるか否かを判断する遅延判断部と、前記遅延判断部にて前記充電遅延になると判断された場合に当該充電遅延を利用者に通知する通知部と、を備える。
この発明によれば、ある充電用端末について、例えば充電の待機により、充電要求完了時刻までに充電が完了しない充電遅延が生じた場合には、その旨が利用者に通知されるため、利用者は充電遅延を知ることができる。
【００１３】
第７の発明は、充電制御装置であって、充電用端末と電力供給線によって接続され、共用電灯電力源から前記充電用端末への電力供給を制御する継電器と、利用者による前記充電用端末の充電開始要求を受け付ける受付部と、共用電灯の使用電流または使用容量に、前記充電用端末での充電に必要な電流または容量を加えた合算電流または合算容量が、前記共用電灯契約の上限値以下である充電余力有りか否かを判断する余力判断部と、前記充電開始要求に基づく充電開始要求時刻において、前記充電余力有りの場合には前記充電開始要求時刻に前記充電用端末による充電を開始し、充電余力無しの場合には前記充電余力有りになるまで前記充電用端末による充電を待機するよう前記継電器を制御する制御部と、を備える。
【発明の効果】
【００１４】
本発明によれば、集合住宅の駐車場において、共用電灯の使用電流または使用容量が上限値を越えることを抑制しつつ、充電用端末による車両の充電を行うことができる。
【図面の簡単な説明】
【００１５】
【図１】本発明の一実施形態に係る集合住宅用車両充電システムの模式図。
【図２】充電ポストの電気的構成を示すブロック図。
【図３】制御装置の電気的構成を示すブロック図。
【図４】充電開始要求設定処理を示すフローチャート。
【図５】充電制御処理を示すフローチャート。
【図６】比較例の具体的な動作の模式図。
【図７】本実施形態の具体的な動作の模式図。
【図８】本実施形態の具体的な動作の模式図。
【図９】充電制限処理の流れを示すフローチャート。
【図１０】共用電灯の使用電流または使用容量の変化を示すグラフ。
【発明を実施するための形態】
【００１６】
本発明の一実施形態を図１ないし図１０によって説明する。
（１）集合住宅用の車両充電システムの全体構成
図１は、本発明の一実施形態に係る集合住宅用の車両充電システム１の模式図である。
車両充電システム１は、マンションやアパートなどの集合住宅の駐車場に駐車された車両（電気自動車（ＥＶ）やプラグインハイブリッド車（ＰＨＶ）など、走行動力源としてバッテリ（例えば二次電池）を有する車両）のバッテリを、共用電灯を使用して充電するためのシステムである。
【００１７】
車両充電システム１は、変流器１０（検出部の一例）、負荷平準化装置１１、充電ポスト１２（充電用端末の一例）を備えて構成されている。なお、図１では充電ポスト１２が４台設置されている例が示されている。
共用電灯源１３から受電した共用電灯は図示しない上位の分電盤により分電され、集合住宅の外灯などの共用負荷や負荷平準化装置１１に供給される。
【００１８】
変流器１０は、共用電灯源１３と上位の分電盤との間に設置され、共用電灯の電流値に応じた検出信号を負荷平準化装置１１に出力する。
負荷平準化装置１１は、分電盤１４と、分電盤１４を制御する制御装置１５（充電制御装置の一例）とを備えている。
分電盤１４は、上位の分電盤によって分電された電力を更に分電し、各充電ポスト１２に電力供給線１６を介して供給する。分電盤１４内において各電力供給線１６上には充電ポスト１２への電力供給を許容／遮断する継電器１７が設けられている。
【００１９】
制御装置１５は、継電器１７のオン／オフを切り替えることにより、各充電ポスト１２への電力供給を制御する。また、制御装置１５は、利用者の通信端末１８（例えば携帯電話やパーソナルコンピュータ）と通信回線を通じて通信する機能を有する。
各充電ポスト１２は、集合住宅の駐車場の各駐車位置にそれぞれ設置されており、分電盤１４から供給される共用電灯を使用して車両を充電する。
【００２０】
（２）充電ポストの電気的構成
図２は、充電ポスト１２の電気的構成を示すブロック図である。
充電ポスト１２は、カード読取部２０、コンセント２１、操作部２２、電力量計２３、ポスト側通信部２４、これらを制御するＣＰＵ２５を備えて構成されている。なお、電力量計２３は、分電盤１４に備えてもよい。
【００２１】
カード読取部２０は、充電ポスト１２の利用が許可されている利用者に配付されている利用者情報カードから利用者情報を読み取る。ＣＰＵ２５は、カード読取部２０により読み取られた利用者情報を制御装置１５に送信する。利用者情報カードとしては、ＩＣチップが埋め込まれたＩＣカードや磁気カードなどを用いることができる。
【００２２】
コンセント２１には、分電盤１４から延びる電力供給線１６が接続されている。コンセント２１は充電ポスト１２の内部に埋め込まれており、車両のバッテリから延びる受電プラグ（図１参照）が差し込まれる。
操作部２２は、各種の情報を表示するためのＬＣＤ（Liquid Crystal Display）や操作ボタンなどで構成されている。
【００２３】
電力量計２３は、電力供給線１６上に設けられており、ＣＰＵ２５は電力供給線１６を流れる電流の電流値を電力量計２３により取得して制御装置１５に送信する。
【００２４】
（３）負荷平準化装置の制御装置の電気的構成
図３は、負荷平準化装置１１の制御装置１５の電気的構成を示すブロック図である。制御装置１５は、ＣＰＵ３０（受付部、余力判断部、制御部、危険度判定部、遅延判断部、通知部の一例）、ＲＯＭ３１、ＲＡＭ３２、装置側通信部３３（受付部、通知部の一例）、外部記憶装置３４などで構成されている。
【００２５】
ＣＰＵ３０はＲＯＭ３１に記憶されているプログラムを実行することにより負荷平準化装置１１の各部を制御する。ＲＯＭ３１はＣＰＵ３０により実行される各種のプログラムやデータを記憶している。ＲＡＭ３２はＣＰＵ３０が各種の処理を実行するための主記憶装置として用いられる。装置側通信部３３は充電ポスト１２のポスト側通信部２４との間で通信可能に構成されている。外部記憶装置３４は例えば不揮発性メモリで構成され、充電ポスト１２の利用が許可されている利用者の利用者情報などが記憶されている。
【００２６】
（４）充電ポスト側の処理
図４は、充電ポスト１２側で実行される充電開始要求設定処理を示すフローチャートである。充電ポスト１２のＣＰＵ２５は、利用者がカード読取部２０に利用者情報カードを読み取らせると、充電開始要求設定処理を開始する。
【００２７】
Ｓ１０１では、ＣＰＵ２５は利用者情報カードから利用者情報を読み取り、読み取った利用者情報を負荷平準化装置１１に送信する。負荷平準化装置１１は利用者情報を受信すると、受信した利用者情報と外部記憶装置３４に記憶されている利用者情報とが一致すれば、正規の利用者であることを認証する。充電ポスト１２は負荷平準化装置１１により正規の利用者であることが認証された場合はＳ１０２に進み、正規の利用者であることが認証されなかった場合には本充電開始要求設定処理を終了する。
【００２８】
Ｓ１０２では、ＣＰＵ２５は利用者に充電する車両の種類を選択させる。車両の種類には、例えばＥＶやＰＨＶがある。
Ｓ１０３では、ＣＰＵ２５は利用者に充電完了要求時刻を入力させる。充電完了要求時刻は、利用者が、車両の使用予定時刻を考慮して車両の充電を完了させたい時刻である。また、充電完了とは、利用者が希望する充電量まで車両のバッテリが充電されることをいう。
【００２９】
Ｓ１０４では、ＣＰＵ２５は利用者に充電方法を選択させる。充電方法には、「即時充電」や「充電予約」がある。「即時充電」は利用者が即時に車両への充電を希望する場合に選択される。「充電予約」は利用者が、昼間時間帯よりも電力料金が安くなる割引時間帯（深夜時間帯、例えば２３時〜翌朝７時）での充電を優先したい場合に選択される。「充電予約」の選択は、充電開始要求時刻として電力料金の割引時間帯内の時刻を指定する一例である。
【００３０】
Ｓ１０５では、ＣＰＵ２５は利用者により設定された車両の種類、充電完了要求時刻、充電方法、及び充電ポスト１２の識別情報を、充電開始要求として制御装置１５に送信する。
【００３１】
（５）負荷平準化装置側の処理
（５−１）充電開始要求受付処理
負荷平準化装置１１の制御装置１５は、充電ポスト１２から充電開始要求を受信すると、充電開始要求受付処理を実行する。具体的には、制御装置１５は受信した充電開始要求を外部記憶装置３４に記憶するとともに、当該充電開始要求を送信した充電ポスト１２の充電未完了フラグをオンに設定する。以後、当該充電ポスト１２は、充電未完了フラグがオフになるまで次述する充電制御処理の対象となる。
【００３２】
（５−２）充電制御処理
図５は、充電制御処理の流れを示すフローチャートである。本処理は負荷平準化装置１１が起動されると実行される。
集合住宅では、電力会社との契約で共用電灯の契約電流または契約容量（共用電灯の上限値の一例）が定められ、これを超えないように共用電灯を使用する必要がある。充電制御処理は、共用電灯の使用電流または使用容量が契約電流または契約容量を超えないようにしつつ充電ポスト１２による車両の充電を行うための処理である。
【００３３】
Ｓ２０１では、制御装置１５のＣＰＵ３０は充電未完了フラグがオンになっている充電ポスト１２（「充電未完了ポスト」という）を１台ずつ順に選択し、１台選択するごとにＳ２０２に進む。例えば１台目の充電ポスト１２及び２台目の充電ポスト１２だけ充電未完了フラグがオンである場合、ＣＰＵ３０は今回のＳ２０１の処理では１台目の充電ポスト１２を選択し、次回のＳ２０１の処理では２台目の充電ポスト１２を選択し、その後のＳ２０１の処理では再び１台目の充電ポスト１２を選択する。
【００３４】
Ｓ２０２では、ＣＰＵ３０は現在時刻が充電開始要求時刻に達しているか否かを判定する。ここで充電開始要求時刻とは、充電方法として「即時充電」が設定されている場合は充電開始要求を受け付けた時刻をいい、「充電予約」が設定されている場合は割引時間帯の開始時刻をいう。なお、利用者が、上記充電開始要求設定処理にて、即時充電等以外に、充電開始要求時刻を直接入力できるようにしてもよい。ＣＰＵ３０は、現在時刻が充電開始要求時刻に達していなければＳ２０１に戻る。例えば「充電予約」が設定されている場合、割引時間帯の開始時刻に達していなければ充電を開始せずにＳ２０１に戻り、一方、充電開始要求時刻に達していればＳ２０３に進む。なお、後述するように、充電ポスト１２の中には、充電開始要求時刻に充電が開始され、その充電が途中で待機状態になるものがある（Ｓ２０５、Ｓ２１０参照）。Ｓ２０２では、このような待機状態の充電ポスト１２も充電開始要求時刻に達しているものと判断し、Ｓ２０３に進む。
【００３５】
Ｓ２０３では、ＣＰＵ３０は共用電灯に充電余力が有るか否かを判定する。ここで充電余力有りとは、変流器１０からの検出信号に基づく使用電流または使用容量に、現在選択している充電ポスト１２（以下、「選択充電ポスト１２」ということがある）での充電に必要な電流または容量を加えた合算電流または合算容量が、契約電流または契約容量以下であることをいう。ＣＰＵ３０は、充電余力が有る場合は充電開始要求時刻に充電を開始し、充電余力が無い場合には充電余力有りになるまで充電を待機するよう継電器１７を制御する。なお、充電ポスト１２の最大充電電流（例えば１２Ａ）と充電電圧（例えばＡＣ２００Ｖ）から、充電ポスト１２での充電電力の必要量（充電に必要な電力量  例えば２．４ｋＶＡ）を決定する。
【００３６】
具体的には、ＣＰＵ３０は、充電余力が有る場合はＳ２０６に進み、選択充電ポスト１２の継電器１７をオンにして充電を開始する。一方、充電余力無しの場合は、ＣＰＵ３０はＳ２０４に進む。
Ｓ２０４では、ＣＰＵ３０は、充電中の充電未完了ポストのうち、選択充電ポスト１２よりも充電完了要求時刻が遅い充電未完了ポストが有るか否かを判定する。ＣＰＵ３０は、無いと判定した場合は選択充電ポスト１２による充電を開始せずにＳ２０１に戻り、有ると判定した場合はＳ２０５に進む。
【００３７】
なお、選択充電ポスト１２の充電完了要求時刻と、充電中の充電未完了ポストの充電完了要求時刻とが一致することもあり得る。このような場合には、ＣＰＵ３０は、充電開始要求の受付順位が、充電中の充電未完了ポストよりも選択充電ポスト１２の方が遅い場合はＳ２０１に戻り、早い場合はＳ２０５に進む。
【００３８】
Ｓ２０５では、ＣＰＵ３０は充電中の充電未完了ポストのうち、最も遅い充電完了要求時刻が設定されている充電未完了ポストの継電器１７をオフにして充電を待機させる。あるいは、選択充電ポスト１２よりも充電開始要求の受付順位が遅い充電中の充電未完了ポストの継電器１７をオフにして充電を待機させる。そして、次のＳ２０６で、選択充電ポスト１２の継電器１７をオンにして充電を開始する。
【００３９】
Ｓ２０７では、ＣＰＵ３０は選択充電ポストによる充電が、充電完了要求時刻までに完了しない充電遅延になるか否かを判断する。具体的には、車両のバッテリに流れる充電電流の電流値は、バッテリへの充電が進むにつれてそれと反比例して少なくなる。このため、バッテリに流れる充電電流の電流値を測定すれば、充電完了までの充電必要時間を推定できる。但し、ＥＶとＰＨＶとでは、それぞれが備えるバッテリの充電特性が互いに異なるため、電流値が同じでも充電必要時間が異なり得る。そこで、ＣＰＵ３０は、上記車両の種類を加味して充電必要時間を推定し、現在時刻に充電必要時間を加算した時刻が充電完了要求時刻を超えている場合は、充電遅延になると判断する。ＣＰＵ３０は、充電遅延と判断した場合はＳ２０８に進み、充電遅延と判断しなかった場合はＳ２０９に進む。なお、厳密な推定を要しないのであれば、充電電流を測定することなく、予め実験的に求めた車両の最大充電時間（例えばＥＶ：７時間、ＰＨＶ：２時間）や平均充電時間を、充電必要時間としてもよい。
【００４０】
Ｓ２０８では、ＣＰＵ３０は充電遅延である旨の電子メールを、選択充電ポストに接続された車両の利用者が所持する通信端末１８に送信する。
Ｓ２０９では、ＣＰＵ３０は充電が完了している充電ポスト１２があるか否かを判定する。具体的には、ＣＰＵ３０は各充電ポスト１２について、それぞれの電力量計２３から電流値を取得し、電流値が一定値以下まで低下している充電ポスト１２があるか否かを判定する。この一定値は車種がＥＶであるかＰＨＶであるかによって異なる。ＣＰＵ３０は、充電が完了している充電ポスト１２がない場合はＳ２０１に戻り、充電が完了している充電ポスト１２がある場合はＳ２１０に進む。
【００４１】
Ｓ２１０では、ＣＰＵ３０は充電が完了している充電ポスト１２の継電器１７をオフにするとともに、充電完了フラグをオフにする。そして、Ｓ２１２で充電未完了ポストが有るか否か、即ち、充電完了フラグがオンされている充電ポスト１２が有るか否かを判断し、充電未完了ポストが有ればＳ２０１に戻る。一方、充電未完了ポストが無ければ本充電制御処理を終了する。なお、ＣＰＵ３０は、その後、新たに一の充電ポスト１２について充電開始要求がされると、充電制御処理を再開する。
【００４２】
（５−３）充電制御処理による具体的な動作
図６〜図８は、制御装置１５の充電制御処理による具体的な動作を説明するための模式図である。
図６は、制御装置１５による充電制御処理を行わない場合の比較例である。図６では、現在、１台目の充電ポスト１２により車両を充電中であり、共用電灯を使用する共用負荷も稼働している。この場合、２台目の充電ポスト１２による充電を充電開始要求時刻通りに行うと、図示するように共用電灯の使用電流または使用容量が契約電流または契約容量を超えてしまう。すなわち、同図は充電余力無しの状態を示している。
【００４３】
図７は、制御装置１５による充電制御処理を行った場合の例である。２台目の充電ポスト１２の充電開始要求時に充電余力無しであり、且つ、２台目の充電ポスト１２の充電完了要求時刻が１台目の充電ポスト１２の充電完了要求時刻より遅いとする。この場合、充電制御処理の実行により、２台目の充電ポスト１２による充電は、充電余力有りになるまで待機され、その後、１台目の充電ポスト１２による充電が完了して充電余力有りの状態になった後に開始される。２台目の充電ポスト１２による充電を待機することにより、共用電灯の使用電流または使用容量が契約電流または契約容量を超えてしまうことを避けることができる。その結果として２台目の充電ポスト１２について充電遅延が発生した場合は、利用者にその旨が通知される。
【００４４】
図８は、同じく制御装置１５による充電制御処理を行った場合の例である。２台目の充電ポスト１２の充電開始要求時に充電余力無しであり、且つ、２台目の充電ポスト１２（一の充電ポストの一例）の充電完了要求時刻が１台目の充電ポスト１２の充電完了要求時刻より早いとする。この場合、充電制御処理の実行により、１台目の充電ポスト１２（他の充電ポストの一例）による充電が待機されて、２台目の充電ポスト１２による充電が先に行われ、２台目の充電ポスト１２による充電が完了して充電余力有りの状態になった後に、１台目の充電ポスト１２による充電が再開される。その結果として１台目の充電ポスト１２について充電遅延が発生した場合は、利用者にその旨が通知される。
【００４５】
（６）充電制限処理
車両の充電を開始した時点では充電余力が有っても、その後に、共用負荷の使用が増えてくる場合もある。例えば周囲が暗くなって徐々に外灯が点灯し始めると、それに伴って共用電灯の使用が増加する。この場合、車両の充電を続けると、共用電灯の使用電流または使用容量が契約電流または契約容量を超えてしまうことが予想される。すなわち、充電余力無しに移行するおそれがある。これを回避するため、制御装置１５は充電制限処理を行う。
【００４６】
図９は充電制限処理の流れを示すフローチャートである。制御装置１５は本処理を上述した充電制御処理と並行して実行する。図１０は共用電灯の使用電流または使用容量の変化を示すグラフである。
【００４７】
Ｓ３０１では、ＣＰＵ３０は変流器１０から使用電流または使用容量を取得する。
Ｓ３０２では、ＣＰＵ３０は変流器１０で検出された使用電流または使用容量の変化に基づき充電余力有りから充電余力無しに移行する危険度が所定レベルに達したか否かを判定する。具体的には、ＣＰＵ３０は、取得した使用電流または使用容量が、契約電流または契約容量より所定値だけ低く設定した危険値以上であるか否かを判定する。ＣＰＵ３０は使用電流または使用容量が危険値未満であると判定した場合はＳ３０１に戻り、危険値以上であると判定した場合はＳ３０３に進む。
【００４８】
Ｓ３０３では、ＣＰＵ３０は充電ポスト１２による充電を待機するよう継電器１７を制御する。具体的には例えば、ＣＰＵ３０は充電中の全ての充電ポスト１２のうち、最も遅い充電完了要求時刻が設定されている充電ポスト１２の継電器１７をオフにして充電を待機させる。
【００４９】
（７）実施形態の効果
以上説明した本発明の一実施形態に係る車両充電システム１によれば、充電余力の有無に応じて充電ポスト１２の充電開始時刻を変更することで、集合住宅の駐車場において、共用電灯の使用電流または使用容量が上限値を越えることを抑制しつつ、充電ポスト１２による車両の充電を行うことができる。
【００５０】
更に、車両充電システム１によれば、充電余力が無い場合に、充電完了要求時刻が遅い方の充電ポスト１２による充電を待機させることにより、共用電灯の使用電流または使用容量が上限値を越えることを抑制しつつ、複数の充電ポスト１２による充電を円滑に行うことができる。
【００５１】
更に、車両充電システム１によれば、一の充電ポスト１２と他の充電ポスト１２とで充電完了要求時刻が一致する場合でも、受付部での充電開始要求の受付順位が遅い方の充電ポスト１２による充電を待機させることにより、共用電灯の使用電流または使用容量が上限値を越えることを抑制しつつ、複数の充電ポスト１２による充電を円滑に行うことができる。
【００５２】
更に、車両充電システム１によれば、割引時間帯を利用して車両の充電を行うことができる。
【００５３】
更に、車両充電システム１によれば、例えば充電ポスト１２以外の負荷に対する使用電流または使用容量の増加により充電余力有りから充電余力無しに移行する場合でも、共用電灯の使用電流または使用容量が上限値を越えることを抑制することができる。
【００５４】
更に、車両充電システム１によれば、ある充電ポスト１２について、例えば充電の待機により、充電要求完了時刻までに充電が完了しない充電遅延が生じた場合には、その旨が利用者に通知されるため、利用者は充電遅延を知ることができる。
【００５５】
更に、制御装置１５によれば、充電余力の有無に応じて充電ポスト１２の充電開始時刻を変更することで、集合住宅の駐車場において、共用電灯の使用電流または使用容量が上限値を越えることを抑制しつつ、充電ポスト１２による車両の充電を行うことができる。
【００５６】
＜他の実施形態＞
本発明は上記記述及び図面によって説明した実施形態に限定されるものではなく、例えば次のような実施形態も本発明の技術的範囲に含まれる。
【００５７】
（１）上記実施形態では継電器１７を分電盤１４に設ける場合を例に説明したが、継電器１７を各充電ポスト１２に設け、負荷平準化装置１１からの指示により各充電ポスト１２が継電器１７のオン／オフを制御するようにしてもよい。
【００５８】
（２）上記実施形態では充電余力有りから充電余力なしに移行する危険度を共用電灯の使用電流または使用容量により判断する場合を例に説明したが、例えば共用電灯の使用電流または使用容量の増加傾向により判断するようにしてもよい。具体的には例えば、共用電灯の使用電流または使用容量が急激に増加する場合、そのままでは上限値を超える可能性が高いので、使用電流または使用容量を時系列でプロットした場合のグラフの勾配により危険度を判断してもよい。
【符号の説明】
【００５９】
１・・・車両充電システム
１０・・・変流器（使用電流または使用容量の検出部）
１１・・・負荷平準化装置
１２・・・充電ポスト（充電用端末）
１３・・・共用電灯源
１４・・・分電盤
１５・・・制御装置（充電制御装置）
１６・・・電力供給線
１７・・・継電器
１８・・・充電ポスト利用者の通信端末
２０・・・カード読取部
２１・・・コンセント
２２・・・操作部（ＬＣＤ、操作ボタンなど）
２３・・・電力量計
２４・・・ポスト側通信部
２５・・・ポストのＣＰＵ
３０・・・制御装置のＣＰＵ（受付部、余力判断部、制御部、危険度判定部、遅延判断部、通知部）
３１・・・ＲＯＭ（ＣＰＵ３０により実行される各種プログラムやデータを記憶）
３２・・・ＲＡＭ（ＣＰＵ３０が各種の処理を実行するための主記憶装置）
３３・・・装置側通信部（受付部、通知部）
３４・・・外部記憶装置
【図１】
2010187453.tif 000003
【図２】
2010187453.tif 000004
【図３】
2010187453.tif 000005
【図４】
2010187453.tif 000006
【図５】
2010187453.tif 000007
【図６】
2010187453.tif 000008
【図７】
2010187453.tif 000009
【図８】
2010187453.tif 000010
【図９】
2010187453.tif 000011
【図１０】
2010187453.tif 000012
【手続補正書】
【提出日】平成21年2月12日(2009.2.12)
【手続補正１】
【補正対象書類名】図面
【補正対象項目名】図１
【補正方法】変更
【補正の内容】
【図１】
2010187453.tif 000013
【手続補正２】
【補正対象書類名】図面
【補正対象項目名】図２
【補正方法】変更
【補正の内容】
【図２】
2010187453.tif 000014